(57)【要約】    【課題】  他の画像形成装置から適正に実行可能な動作モードを取得することができる画像形成装置を提供する。    【解決手段】  画像入出力システム１００は、ＬＡＮ４００上の他のデジタル複写機４０３に登録されているモードメモリを取得して自装置のモードメモリとして登録するためのモードメモリダウンロード機能を有する。モードメモリダウンロード時、ＬＡＮ４００上の他のデジタル複写機４０３からモードメモリが取得される。そして、取得したモードメモリの設定内容が自装置で処理可能であると判断された場合、このモードメモリが登録される。これに対し、モードメモリの設定内容の全てが処理可能でないすなわち処理不可能な項目が１つでもある場合、モードメモリの設定内容の中で、自装置で処理可能な設定内容のみが登録される。【選択図】      図９
2005349657.tif 000002
【特許請求の範囲】
【請求項１】
ネットワークを介して少なくとも１つの他の画像形成装置と通信可能な画像形成装置であって、
複数の項目を含む動作モードを記憶する記憶手段と、
前記ネットワークを介して、前記他の画像形成装置の動作モードを取得する取得手段と、
前記取得手段により取得された動作モードのそれぞれの項目の設定内容を処理可能であるか否かを判断する判断手段と、
前記判断手段の判断結果に基づいて前記取得された動作モードの項目の中の処理可能な項目の設定内容を自装置の動作モードとして前記記憶手段に記憶するように制御する制御手段と
を備えることを特徴とする画像形成装置。
【請求項２】
ネットワークを介して少なくとも１つの他の画像形成装置と通信可能な画像形成装置であって、
前記ネットワークを介して、前記他の画像形成装置に登録されている、複数の項目からなる動作モードを取得する取得手段と、
前記取得手段により取得された動作モードのそれぞれの項目の設定内容を処理可能であるか否かを判断する判断手段と、
前記判断手段の判断結果に基づいて動作モードの処理可能な項目の設定内容に従って自装置の動作を制御する制御手段と
を備えることを特徴とする画像形成装置。
【請求項３】
複数の他の画像形成装置の動作モードの一覧を表示する表示手段を備え、
前記取得手段は、前記一覧の中から選択された動作モードを取得することを特徴とする請求項１または２記載の画像形成装置。
【請求項４】
ネットワークを介して少なくとも１つの他の画像形成装置と通信可能な画像形成装置であって、
自装置に登録されている動作モードに含まれる項目のそれぞれの設定内容を前記他の画像形成装置が処理可能であるか否かを判断する判断手段と、
前記判断手段の判断結果に基づいて前記動作モードの項目の中の処理可能な項目の設定内容を前記他の画像形成装置で実行可能な動作モードとして、前記ネットワークを介して前記他の画像形成装置へ送信する送信手段と
を備えることを特徴とする画像形成装置。
【請求項５】
ネットワークを介して少なくとも１つの他の画像形成装置と通信可能な画像形成装置であって、
複数の項目からなる動作モードを記憶する記憶手段と、
前記ネットワークを介して、前記他の画像形成装置の動作モードを取得する取得手段と、
前記取得手段により取得された動作モードの項目の全てが処理可能であるか否かを判断する判断手段と、
前記判断手段により前記取得された動作モードの項目の全てが処理可能であると判断された場合、前記取得された動作モードを自装置の動作モードとして前記記憶手段に記憶するように制御する制御手段と
を備えることを特徴とする画像形成装置。
【請求項６】
ネットワークを介して少なくとも１つの他の画像形成装置と通信可能な画像形成装置であって、
自装置に登録されている動作モードに含まれる項目の全てが前記他の画像形成装置で処理可能であるか否かを判断する判断手段と、
前記判断手段により前記動作モードの項目の全てが処理可能であると判断された場合、前記動作モードを前記他の画像形成装置で実行可能な動作モードとして、前記ネットワークを介して前記他の画像形成装置へ送信する送信手段と
を備えることを特徴とする画像形成装置。
【請求項７】
ネットワークを介して少なくとも１つの他の画像形成装置と通信可能な画像形成装置であって、
前記ネットワークを介して、前記他の画像形成装置に登録されている、複数の項目からなる動作モードを取得する取得手段と、
前記取得手段により取得された動作モードの項目の全てが処理可能であるか否かを判断する判断手段と、
前記判断手段により前記取得された動作モードの項目の全てが処理可能であると判定された場合、前記取得された動作モードに従って自装置の動作を制御する制御手段と
を備えることを特徴とする画像形成装置。
【請求項８】
ネットワークを介して少なくとも１つの他の画像形成装置と通信可能な画像形成装置の使用環境設定方法であって、
前記ネットワークを介して、前記他の画像形成装置の動作モードを取得する取得工程と、
前記取得工程で取得された動作モードのそれぞれの項目の設定内容を処理可能であるか否かを判断する判断工程と、
前記判断工程での判断結果に基づいて前記取得された動作モードの項目の中の処理可能な項目の設定内容を自装置の動作モードとして記憶手段に記憶するように制御する制御工程と
を備えることを特徴とする使用環境設定方法。
【請求項９】
ネットワークを介して少なくとも１つの他の画像形成装置と通信可能な画像形成装置の使用環境設定方法であって、
自装置に登録されている動作モードに含まれる項目のそれぞれの設定内容を前記他の画像形成装置が処理可能であるか否かを判断する判断工程と、
前記判断工程の判断結果に基づいて前記動作モードの項目の中の処理可能な項目の設定内容を前記他の画像形成装置で実行可能な動作モードとして、前記ネットワークを介して前記他の画像形成装置へ送信する送信工程と
を備えることを特徴とする使用環境設定方法。
【請求項１０】
ネットワークを介して少なくとも１つの他の画像形成装置と通信可能な画像形成装置の使用環境設定方法であって、
前記ネットワークを介して、前記他の画像形成装置の動作モードを取得する取得工程と、
前記取得工程で取得された動作モードの項目の全てが処理可能であるか否かを判断する判断工程と、
前記判断工程で前記取得された動作モードの項目の全てが処理可能であると判断された場合、前記取得された動作モードを自装置の動作モードとして前記記憶手段に記憶するように制御する制御工程と
を備えることを特徴とする使用環境設定方法。
【請求項１１】
ネットワークを介して少なくとも１つの他の画像形成装置と通信可能な画像形成装置の使用環境設定方法であって、
自装置に登録されている動作モードに含まれる項目の全てが前記他の画像形成装置で処理可能であるか否かを判断する判断工程と、
前記判断工程で前記動作モードの項目の全てが処理可能であると判断された場合、前記動作モードを前記他の画像形成装置で実行可能な動作モードとして、前記ネットワークを介して前記他の画像形成装置へ送信する送信工程と
を備えることを特徴とする使用環境設定方法。
【請求項１２】
ネットワークを介して少なくとも１つの他の画像形成装置と通信可能な画像形成装置上で実行されるプログラムであって、
前記ネットワークを介して、前記他の画像形成装置の動作モードを取得する取得モジュールと、
前記取得モジュールにより取得された動作モードのそれぞれの項目の設定内容を処理可能であるか否かを判断する判断モジュールと、
前記判断モジュールによる判断結果に基づいて前記取得された動作モードの項目の中の処理可能な項目の設定内容を自装置の動作モードとして記憶手段に記憶するように制御する制御モジュールと
を備えることを特徴とするプログラム。
【請求項１３】
ネットワークを介して少なくとも１つの他の画像形成装置と通信可能な画像形成装置上で実行されるプログラムであって、
自装置に登録されている動作モードに含まれる項目のそれぞれの設定内容を前記他の画像形成装置が処理可能であるか否かを判断する判断モジュールと、
前記判断モジュールの判断結果に基づいて前記動作モードの項目の中の処理可能な項目の設定内容を前記他の画像形成装置で実行可能な動作モードとして、前記ネットワークを介して前記他の画像形成装置へ送信する送信モジュールと
を備えることを特徴とするプログラム。
【請求項１４】
ネットワークを介して少なくとも１つの他の画像形成装置と通信可能な画像形成装置上で実行されるプログラムであって、
前記ネットワークを介して、前記他の画像形成装置の動作モードを取得する取得モジュールと、
前記取得モジュールにより取得された動作モードの項目の全てが処理可能であるか否かを判断する判断モジュールと、
前記判断モジュールにより前記取得された動作モードの項目の全てが処理可能であると判断された場合、前記取得された動作モードを自装置の動作モードとして前記記憶手段に記憶するように制御する制御モジュールと
を備えることを特徴とするプログラム。
【請求項１５】
ネットワークを介して少なくとも１つの他の画像形成装置と通信可能な画像形成装置上で実行されるプログラムであって、
自装置に登録されている動作モードに含まれる項目の全てが前記他の画像形成装置で処理可能であるか否かを判断する判断モジュールと、
前記判断モジュールにより前記動作モードの項目の全てが処理可能であると判断された場合、前記動作モードを前記他の画像形成装置で実行可能な動作モードとして、前記ネットワークを介して前記他の画像形成装置へ送信する送信モジュールと
を備えることを特徴とするプログラム。
【請求項１６】
請求項１２ないし請求項１５のいずれかに１つに記載のプログラムをコンピュータ読み取り可能に格納したことを特徴とする記憶媒体。
【発明の詳細な説明】
【技術分野】
【０００１】
本発明は、ネットワークを介して少なくとも１つの他の画像形成装置と通信可能な画像形成装置、使用環境制御方法、プログラムおよび記憶媒体に関する。
【背景技術】
【０００２】
一般に、デジタル複写機には、その使用環境をユーザにとって使い勝手が良い環境にするための機能が搭載されている。このような機能としては、例えば、「ユーザ環境の設定」、「モードメモリ」、「お好みキー」などの機能がある。ここで、「ユーザ環境の設定」機能は、使用環境をユーザが使い易い状態に保持する機能である。「モードメモリ」は、コピー枚数、濃度、倍率など任意のコピーモードの組み合わせをメモリに登録し、登録されているコピーモードの組み合わせの中から呼び出されたコピーモードでコピーを実行するものである。「お好みキー」は、表示するキーを選択し、登録することができる機能である。
【０００３】
また、新規に設置されたデジタル複写機をネットワークに接続することによって、当該デジタル複写機の使用環境をユーザが使用している他の複写機の使用環境と同じにする機能が知られている（例えば特許文献１を参照）。この機能は、同じネットワークに接続されている他の画像形成装置の動作モード（「ユーザ環境の設定」、「モードメモリ」、「お好みキー」の各機能により設定されているモード）の内容を取得し、メモリに自動的にセットするものである。
【０００４】
また、デジタル複写機にはカラーデジタル複写機や白黒デジタル複写機があり、また、それぞれにおける処理可能な内容は、通常、機種の違い、フィニッシャ装着の有無などのオプション構成の違いなどに応じて、異なるものである。
【特許文献１】特開平１１−３２１０４０号公報
【発明の開示】
【発明が解決しようとする課題】
【０００５】
しかしながら、ユーザが使用する他のデジタル複写機の使用環境と同じ使用環境に設定しようとするデジタル複写機の処理可能な内容が、ユーザが使用する他のデジタル複写機の処理可能な内容とオプション構成の違いなどにより異なることがあるので、同じ使用環境に設定しようとするデジタル複写機は、ユーザが使用する他のデジタル複写機から取得した動作モードの全てまたは一部を実行することができない場合がある。そのような場合、他のデジタル複写機から全てまたは一部が実行不可能な動作モードを取得したデジタル複写機においては、取得した動作モードに従って適正な動作を実行することができない。
【０００６】
本発明の第１の目的は、他の画像形成装置から適正に実行可能な動作モードを取得することができる画像形成装置、使用環境設定方法、プログラムおよび記憶媒体を提供することにある。
【０００７】
本発明の第２の目的は、他の画像形成装置に対して適正に実行可能な動作モードを与えることができる画像形成装置、使用環境設定方法、プログラムおよび記憶媒体を提供することにある。
【課題を解決するための手段】
【０００８】
本発明は、上記第１の目的を達成するため、ネットワークを介して少なくとも１つの他の画像形成装置と通信可能な画像形成装置であって、複数の項目を含む動作モードを記憶する記憶手段と、前記ネットワークを介して、前記他の画像形成装置の動作モードを取得する取得手段と、前記取得手段により取得された動作モードのそれぞれの項目の設定内容を処理可能であるか否かを判断する判断手段と、前記判断手段の判断結果に基づいて前記取得された動作モードの項目の中の処理可能な項目の設定内容を自装置の動作モードとして前記記憶手段に記憶するように制御する制御手段とを備えることを特徴とする画像形成装置を提供する。
【０００９】
本発明は、上記第１の目的を達成するため、ネットワークを介して少なくとも１つの他の画像形成装置と通信可能な画像形成装置であって、前記ネットワークを介して、前記他の画像形成装置に登録されている、複数の項目からなる動作モードを取得する取得手段と、前記取得手段により取得された動作モードのそれぞれの項目の設定内容を処理可能であるか否かを判断する判断手段と、前記判断手段の判断結果に基づいて動作モードの処理可能な項目の設定内容に従って自装置の動作を制御する制御手段とを備えることを特徴とする画像形成装置を提供する。
【００１０】
本発明は、上記第２の目的を達成するため、ネットワークを介して少なくとも１つの他の画像形成装置と通信可能な画像形成装置であって、自装置に登録されている動作モードに含まれる項目のそれぞれの設定内容を前記他の画像形成装置が処理可能であるか否かを判断する判断手段と、前記判断手段の判断結果に基づいて前記動作モードの項目の中の処理可能な項目の設定内容を前記他の画像形成装置で実行可能な動作モードとして、前記ネットワークを介して前記他の画像形成装置へ送信する送信手段とを備えることを特徴とする画像形成装置を提供する。
【００１１】
本発明は、上記第１の目的を達成するため、ネットワークを介して少なくとも１つの他の画像形成装置と通信可能な画像形成装置であって、複数の項目からなる動作モードを記憶する記憶手段と、前記ネットワークを介して、前記他の画像形成装置の動作モードを取得する取得手段と、前記取得手段により取得された動作モードの項目の全てが処理可能であるか否かを判断する判断手段と、前記判断手段により前記取得された動作モードの項目の全てが処理可能であると判断された場合、前記取得された動作モードを自装置の動作モードとして前記記憶手段に記憶するように制御する制御手段とを備えることを特徴とする画像形成装置を提供する。
【００１２】
本発明は、上記第２の目的を達成するため、ネットワークを介して少なくとも１つの他の画像形成装置と通信可能な画像形成装置であって、自装置に登録されている動作モードに含まれる項目の全てが前記他の画像形成装置で処理可能であるか否かを判断する判断手段と、前記判断手段により前記動作モードの項目の全てが処理可能であると判断された場合、前記動作モードを前記他の画像形成装置で実行可能な動作モードとして、前記ネットワークを介して前記他の画像形成装置へ送信する送信手段とを備えることを特徴とする画像形成装置を提供する。
【００１３】
本発明は、上記第１の目的を達成するため、ネットワークを介して少なくとも１つの他の画像形成装置と通信可能な画像形成装置であって、前記ネットワークを介して、前記他の画像形成装置に登録されている、複数の項目からなる動作モードを取得する取得手段と、前記取得手段により取得された動作モードの項目の全てが処理可能であるか否かを判断する判断手段と、前記判断手段により前記取得された動作モードの項目の全てが処理可能であると判定された場合、前記取得された動作モードに従って自装置の動作を制御する制御手段とを備えることを特徴とする画像形成装置を提供する。
【００１４】
また、本発明は、上記第１または第２の目的を達成するため、使用環境設定方法、プログラムおよび記憶媒体を提供する。
【発明の効果】
【００１５】
本発明によれば、他の画像形成装置から適正に実行可能な動作モードを取得することができる。
【００１６】
また、本発明によれば、他の画像形成装置に対して適正に実行可能な動作モードを与えることができる。
【発明を実施するための最良の形態】
【００１７】
以下、本発明の実施の形態について図面を参照しながら説明する。
【００１８】
図１は本発明の一実施の形態に係る画像形成装置としての画像入出力システムの全体構成を示すブロック図である。
【００１９】
画像入出力システム１００は、図１に示すように、リーダ部２００、プリンタ部３００、制御装置１１０および操作部１５０を備える。リーダ部２００は、原稿を搬送する原稿給送ユニット２５０と、原稿給送ユニット２５０から搬送された原稿を光学的に読み取るスキャナユニット２１０とを含み、光学的に読み取られた画像は画像データに変換されて出力される。
【００２０】
プリンタ部３００は、用紙を給紙する給紙ユニット３６０と、画像データをトナー像として可視画像化し、このトナー像を給紙ユニット３６０から給紙された用紙上に転写し、定着させるマーキングユニット３２０と、画像が形成された用紙をソートし、ステイプルする機能を有し、画像が形成された用紙を機外へ排出する排紙ユニット３７０とを含む。
【００２１】
制御装置１１０は、リーダ部２００およびプリンタ部３００と電気的に接続されるとともに、ＬＡＮ（Local Area Network）４００を介して、ホストコンピュータ（以下、ＰＣという）４０１，４０２およびデジタル複写機４０３と接続される。制御装置１１０は、リーダ部２００を制御して原稿画像を読み取り、プリンタ部３００を制御して読み取られた原稿画像を用紙上に出力するコピー機能を提供する。また、制御装置１１０は、リーダ部２００から出力された画像データを、コードデータに変換し、ＬＡＮ４００を介してＰＣ４０１，４０２へ送信するスキャナ機能、および、ＰＣ４０１，４０２からＬＡＮ４００を介して受信したコードデータを画像データに変換し、プリンタ部３００に出力するプリンタ機能を提供する。
【００２２】
操作部１５０は、制御装置１１０に接続されている。操作部１５０は、タッチパネル付液晶表示装置、ハードキーなどを有し、画像入出力システム１００を操作するためのユーザインタフェースを提供する。
【００２３】
次に、上記リーダ部２００およびプリンタ部３００のハードウェア構成について図２を参照しながら説明する。図２は図１のリーダ部２００およびプリンタ部３００のハードウェア構成を模式的に示す縦断面図である。
【００２４】
リーダ部２００の原稿給送ユニット２５０は、原稿を先頭ページから順に１枚ずつプラテンガラス２１１上へ給紙し、原稿の読み取り動作終了後、当該原稿をプラテンガラス２１１から機外へ排出する。スキャナユニット２１０は、ランプ２１２およびミラー２１４を搭載する光学ユニット２１３と、ミラー２１５，２１６を搭載する光学ユニット２２１と、レンズ２１７と、ＣＣＤイメージセンサ（以下、ＣＣＤという）２１８と、画像処理回路部２２２とを含む。スキャナユニット２１０においては、原稿がプラテンガラス２１１上に搬送されると、ランプ２１２が点灯され、そして光学ユニット２１３，２２１の移動が開始される。これにより、原稿の露光走査が開始される。ここで、光学ユニット２１３は副走査方向へ速度Ｖで移動され、光学ユニット２２１は副走査方向へ速度Ｖ／２で移動される。このときの原稿からの反射光は、ミラー２１４，２１５，２１６およびレンズ２１７によって、ＣＣＤ２１８上に結像される。ＣＣＤ２１８は、結像された光学像を電気信号に変換し、この電気信号は画像処理回路部２２２に入力される。画像処理回路部２２２は、入力された電気信号をデジタル画像データに変換した後に、この画像データに対して所定の処理（シェーディング補正など）を施す。処理後の画像データは、制御装置１１０へ出力される。
【００２５】
プリンタ部３００は、画像処理回路部３５２を含み、画像処理回路部３５２は、制御装置１１０から送られる画像データをレーザドライバ３１７へ出力する。レーザドライバ３１７は、画像処理部３５２から出力された画像データに応じたレーザ光を各レーザ発光部３１３，３１４，３１５，３１６から発光させるように各レーザ発光部３１３，３１４，３１５，３１６を駆動する。各レーザ発光部３１３，３１４，３１５，３１６から発光されたレーザ光は、対応するミラー３４０〜３５１を介して各感光ドラム３２５，３２６，３２７，３２８に照射され、各感光ドラム３２５，３２６，３２７，３２８にはレーザ光に応じた潜像が形成される。ここで、感光ドラム３２５はブラック（Ｂｋ）用、感光ドラム３２６はイエロー（Ｙ）用、感光ドラム３２７はシアン（Ｃ）、感光ドラム３２８はマゼンダ（Ｍ）用として設けられたものであり、それらは、水平方向へ間隔ｄを置いて配置されている。各感光ドラム３２５，３２６，３２７，３２８に形成された潜像は、それぞれ現像器３２１，３２２，３２３，３２４から供給されるブラック（Ｂｋ）、イエロー（Ｙ）、シアン（Ｃ）、マゼンダ（Ｍ）のトナーによってブラック（Ｂｋ）、イエロー（Ｙ）、シアン（Ｃ）、マゼンダ（Ｍ）のトナー像として可視像化され、各色のトナー像は用紙上に重ね合わせて転写される。
【００２６】
用紙は、用紙カセット３６０，３６１および手差しトレイ３６２のいずれかより、レーザ光の照射開始と同期したタイミングで給紙され、レジストローラ３３３を経て、転写ベルト３３４上に吸着されて搬送される。そして、感光ドラム３２５，３２６，３２７，３２８に形成されたトナー像は、順に用紙上に転写される。
【００２７】
トナー像が転写された用紙は、搬送ベルト３３６ａを介して定着部３３５に送られ、定着部３３５において、用紙上のトナー像は熱圧されて用紙上に定着される。定着部３３５を通過した用紙は、排出ローラ３３６ｂによって排紙ユニット３７０へ排出され、排紙ユニット３７０は、排出された用紙を束ねて用紙の仕分けをし、また仕分けされた用紙のステイプルを行うなどのシート処理を行う。
【００２８】
また、両面記録が設定されている場合、用紙が排出ローラ３３６ｂの位置まで搬送された後、排出ローラ３３６ｂの回転方向が逆転され、用紙はフラッパ３３７によって再給紙搬送路３３８へ導かれる。再給紙搬送路３３８へ導かれた用紙は、上述したタイミングで転写ベルト３３４へ給紙される。
【００２９】
次に、制御装置１１０の機能について図３を参照しながら説明する。図３は図１の制御装置の構成を示すブロック図である。
【００３０】
制御装置１１０は、図３に示すように、メインコントローラ１１１を含み、メインコントローラ１１１は、ＣＰＵ１１２、バスコントローラ１１３、複数のインタフェース（以下、Ｉ／Ｆという）などから構成される。ＣＰＵ１１２およびバスコントローラ１１３は、制御装置１１０全体の動作を制御するものであり、ＣＰＵ１１２は、ＲＯＭ１１４からＲＯＭＩ／Ｆ１１５を介して読み込まれたプログラムに基づいて動作する。また、ＣＰＵ１１２は、上記プログラムに基づいて、ＰＣ４０１，４０２から受信したＰＤＬ（ページ記述言語）コードデータを解釈し、ラスタイメージデータに展開するための処理を行う。バスコントローラ１１３は各Ｉ／Ｆから入出力されるデータ転送を制御するものであり、バス競合時の調停やＤＭＡデータ転送の制御を行う。
【００３１】
メインコントローラ１１１には、ＤＲＡＭＩ／Ｆ１１７を介してＤＲＡＭ１１６が接続されており、ＤＲＡＭ１１６は、ＣＰＵ１１２が動作するためのワークエリアや、画像データを蓄積するためのエリアとして使用される。また、メインコントローラ１１１には、Ｉ／Ｆ１２０を介してコーデック（Codec）１１８が接続されており、コーデック１１８は、ＤＲＡＭ１１６に蓄積されたラスタイメージデータをＭＨ／ＭＲ／ＭＭＲ／ＪＢＩＧ／ＪＰＥＧなどの方式で圧縮し、また逆に圧縮され蓄積されたコードデータをラスタイメージデータに伸長する。ここで、コーデック１１８とＤＲＡＭ１１６との間のデータの転送は、バスコントローラ１１３によって制御され、ＤＭＡ転送により行われる。コーデック１１８には、コーデック１１８の一時的なワーク領域として使用されるＳＲＡＭ１１９が接続されている。
【００３２】
また、メインコントローラ１１１には、Ｉ／Ｆ１３７を介して、画像プロセッサ（Graphic Processor）１３５が接続されており、画像プロセッサ１３５は、ＤＲＡＭ１１６に蓄積されたラスタイメージデータに対して、画像回転、画像変倍、色空間変換、二値化の処理をそれぞれ施す。画像プロセッサ１３５とＤＲＡＭ１１６との間のデータの転送は、バスコントローラ１１３によって制御され、ＤＭＡ転送により行われる。画像プロセッサ１３５には、画像プロセッサ１３５の一時的なワーク領域として使用されるＳＲＡＭ１３６が接続されている。
【００３３】
また、メインコントローラ１１１には、Ｉ／Ｆ１２３を介して、ネットワークコントローラ１２１が接続され、ネットワークコントローラ１２１は、コネクタ１２２を介してＬＡＮ４００（図１）と接続される。
【００３４】
メインコントローラ１１１は、汎用高速バス１２５と接続され、汎用高速バス１２５には、拡張ボードを接続するための拡張コネクタ１２４とＩ／Ｏ制御部１２６とが接続される。汎用高速バス１２５としては、通常、ＰＣＩバスが用いられる。
【００３５】
Ｉ／Ｏ制御部１２６には、リーダ部２００およびプリンタ部３００の各ＣＰＵと制御コマンドを送受信するための調歩同期シリアル通信コントローラ１２７が２チャンネル装備されている。Ｉ／Ｏ制御部１２６は、Ｉ／Ｏバス１２８を介して、スキャナＩ／Ｆ１４０、プリンタＩ／Ｆ１４５にそれぞれ接続される。また、Ｉ／Ｏ制御部１２６は、ハードキーやタッチパネルキーの入力を行うためのキー入力Ｉ／Ｆ１３０を介してパネルＩ／Ｆ１３２と接続され、操作部１５０上の液晶画面に表示を行うためのＩ／Ｆを介して、ＬＣＤコントローラ１３１と接続される。
【００３６】
操作部１５０は、液晶表示部と、液晶表示部上に張り付けられたタッチパネル入力装置と、複数個のハードキーとを有する。タッチパネルまたはハードキーにより入力された信号は、上記パネルＩ／Ｆ１３２を介してＣＰＵ１１２に伝えられ、液晶表示部はパネルＩ／Ｆ１３２から送られてきた画像データを表示するものである。液晶表示部には、画像入出力システム１００の操作における機能表示や画像データなどが表示される。
【００３７】
また、Ｉ／Ｏ制御部１２６には、リアルタイムクロックモジュール１３３が接続されている。リアルタイムクロックモジュール１３３は、機器内で管理する日付と時刻を更新/保存するためのもので、バックアップ用電池１３４によってバックアップされている。
【００３８】
また、Ｉ／Ｏ制御部１２６には、ＥＥ−ＩＤＥコネクタ１６１が接続されており、ＥＥ−ＩＤＥコネクタ１６１は、外部記憶装置を接続するためのものである。本実施の形態においては、このコネクタ１６１にハードディスク装置（ＨＤドライブ）１６０が接続され、ハードディスク装置１６０は、ハードディスク（ＨＤ）１６２への画像データの書き込みおよび読み出しを行う。
【００３９】
スキャナＩ／Ｆ１４０は、同調歩同期シリアルＩ／Ｆ１４３とビデオＩ／Ｆ１４４とから構成されるコネクタ１４２を有する。スキャナＩ／Ｆ１４０は、コネクタ１４２を介してリーダ部２００と接続され、また、スキャナバス１４１を介してメインコントローラ１１１と接続されている。スキャナＩ／Ｆ１４０は、リーダ部２００から受け取った画像に対して所定の処理を施す機能、およびリーダ部２００から送られたビデオ制御信号に基づいて生成された制御信号を、スキャナバス１４１に出力する機能を有する。スキャナバス１４１からＤＲＡＭ１１６へのデータ転送は、バスコントローラ１１３によって制御される。
【００４０】
プリンタＩ／Ｆ１４５は、同調歩同期シリアルＩ／Ｆ１４８とビデオＩ／Ｆ１４９とから構成されるコネクタ１４２を有する。プリンタＩ／Ｆ１４５は、コネクタ１４７を介してプリンタ部３００と接続され、また、プリンタバス１４６を介してメインコントローラ１１１と接続されており、メインコントローラ１１１から出力された画像データに所定の処理を施して、プリンタ部３００へ出力する機能、およびプリンタ部３００から送られたビデオ制御信号に基づいて生成された制御信号を、プリンタバス１４６に出力する機能を有する。ＤＲＡＭＤＲＡＭ１１６上に展開されたラスタイメージデータのプリンタ部３００への転送は、バスコントローラ１１３によって制御され、ラスタイメージデータは、プリンタバス１４６、ビデオＩ／Ｆ１４９を経由して、プリンタ部３００へＤＭＡ転送される。
【００４１】
次に、画像入出力システム１００におけるコピー動作について図４を参照しながら説明する。図４は図１の画像入出力システム１００におけるコピー動作の手順を示すフローチャートである。
【００４２】
コピー画像を出力する場合、図４に示すように、まずステップＳ４００１において、操作部１５０上でユーザによりコピージョブの設定が行われる。ここで、コピージョブの設定内容は、部数、用紙サイズ、片面／両面、拡大/縮小率、ソート出力、ステイプル止めの有無などである。
【００４３】
次いで、ステップＳ４００２において、操作部１５０からコピー開始指示が与えられると、制御装置１１０のメインコントローラ１１１は、スキャナＩ／Ｆ１４０およびコネクタ１４２を介してリーダ部２００を制御し、原稿の画像データの読み込み動作を行う。まず、原稿給送ユニット２５０は、載置された原稿を１枚ずつプラテンガラス２１１上へ給送し、その際同時に原稿のサイズを検知する。スキャナユニット２１０は、検知された原稿のサイズに基づいて原稿を露光走査することにより、画像データを読み取る。読み取られた画像データは、ＤＲＡＭ１１６に格納される。本実施の形態では、コピー設定の拡大／縮小率の設定にかかわらず、必ず等倍（１００％）で画像データを読み取り、変倍処理については、主走査方向、副走査方向ともに、画像プロセッサ１３５によって行うものとする。
【００４４】
次いで、ステップ４００３において、メインコントローラ１１１は、ＤＲＡＭ１１６に格納された画像データを、画像プロセッサ１３５に転送する。そして、ステップＳ４００４において、画像プロセッサ１３５は、上記コピー設定パラメータに基づいて画像処理を行う。例えば、拡大率４００％の設定がなされているときには、画像プロセッサ１３５内のモジュールである画像変倍部を用いて主走査方向、副走査方向、双方への変倍処理を行う。画像データの画像処理が完了すると、ステップＳ４００５において、画像プロセッサ１３５は、メインコントローラ１１１へ画像処理後の画像データを転送する。メインコントローラ１１１は、転送されてきた画像データをＤＲＡＭ１１６に格納する。
【００４５】
次いで、ステップ４００６において、メインコントローラ１１１は、プリンタＩ／Ｆ１４５およびコネクタ１４７を介して、プリンタ部３００を制御しつつ、適切なタイミングでＤＲＡＭ１１６に格納されている画像データを、プリンタ部３００へ転送する。そして、ステップ４００７において、メインコントローラ１１１の制御下において、プリンタ部３００は画像データをプリント出力する。そして、コピージョブは終了する。
【００４６】
本実施の形態において、画像入出力システム１００は、ＬＡＮ４００上の他のデジタル複写機（デジタル複写機４０３を含む）に登録されているモードメモリを取得して自装置のモードメモリとして登録するためのモードメモリダウンロード機能を有する。具体的には、モードメモリダウンロード機能により画像入出力システム１００がＬＡＮ４００上のデジタル複写機４０３に登録されている動作モードの設定内容を取得する際には、まず、例えばＴＣＰ／ＩＰ（Transmission Control Protocol/Internet Protocol：国際標準プロトコル）でのデジタル複写機４０３と通信する。そして、画像入出力システム１００は、デジタル複写機４０３からその機種名や種類の情報およびデジタル複写機４０３に登録されている動作モードの各設定内容を取得し、取得した設定内容を自装置の動作モードの設定内容として、制御装置１００に接続されているハードディスク装置１６０に登録する。この機能の詳細については、後述する。
【００４７】
また、画像入出力システム１００は、自装置に登録されているモードメモリをＬＡＮ４００上の他のデジタル複写機にアップロードして登録させるためのモードメモリアップロード機能、および、ＬＡＮ４００上の他のデジタル複写機に登録されているモードメモリを直接呼び出して動作を実行するためのモードメモリ直接呼出し機能を有する。このモードメモリアップロード機能、およびモードメモリ直接呼出し機能の詳細については、後述する。
【００４８】
ここで、本実施の形態においては、動作モードとして、「モードメモリ」をダウンロードまたはアップロードする場合を示すが、「モードメモリ」のみではなく、「ユーザ環境の設定」、「お好みキー」の各機能により設定されているモードをダウンロードまたはアップロードするようにすることも可能である。
【００４９】
次に、操作部１５０の液晶表示部に表示される基本操作画面について図５を参照しながら説明する。図５は図１の画像入出力システム１００の操作部１５０の液晶表示部に表示される基本操作画面の一例を示す図である。
【００５０】
操作部１５０の液晶表示部には、タッチパネルが貼り付けられており、液晶表示部の画面に表示される各機能の枠内を触れることにより、その機能が実行される。基本操作画面には、図５に示すように、拡張機能キー１００１、Ｍ１キー１００３、Ｍ２キー１００４、Ｍ３キー１００５、設定キー１００６、シフトソートキー１００８、等倍キー１００９、ズームキー１０１０、用紙選択キー１０１１、濃度調整キー１０１３、濃度調整スライダ１０１２、両面キー１０１４、画像モードキー１０１５、コピーキー１０５１、ファクスキー１０５２、およびファイルキー１０５３が表示される。
【００５１】
拡張機能キー１００１が押下されると、ページ連写、両面複写、多重複写、移動、とじ代の設定、枠消しなどの設定モードへの移行が行われる。Ｍ１キー１００３、Ｍ２キー１００４、Ｍ３キー１００５は、それぞれに登録されたモードメモリを呼び出す際に押下されるキーである。設定キー１００６が押下されると、当該基本操作画面から図６のモードメモリ設定画面への切り替えが行われる。このモードメモリ設定画面の詳細については、後述する。
【００５２】
シフトソートキー１００８は、シフトソート、ステープルソート、グループソートなどの各種フィニッシングに関わる設定を行うキーである。等倍キー１００９は、複写倍率を１００％にする際に押下されるキーである。ズームキー１０１０は、倍率を例えば２５〜８００％の間で設定するためのキーである。用紙選択キー１０１１は、用紙の選択を行う際に押下されるキーである。濃度調整キー１０１３は、コピー濃度を調整するためのキーであり、その右を押下する毎に濃度が濃くなるように調整される。濃度調整キー１０１３の左を押下する毎に濃度が薄くなるように調整される。濃度調整スライダ１０１２は、濃度調整キー１０１３により調整された濃度に応じて、濃度の度合いを表示するためのものである。両面キー１０１４は、両面読み込みおよび両面印刷に関わる設定を行うためのキーである。画像モードキー１０１５は、原稿のタイプを選択するためのキーであり、原稿のタイプとして、文字／写真／地図、文字、印画紙写真、印刷写真などを選択することができる。
【００５３】
コピーキー１０５１は、複写動作を行う場合に押下されるキーであり、このキーが押下されたときに、本基本操作画面が表示される。ファクスキー１０５２は、ファクスを行うときに押下されるキーである。ファイルキー１０５３は、ファイルデータを出力したいときに押下されるキーである。
【００５４】
次に、設定キー１００６の押下により表示されるモードメモリ設定画面について図６を参照しながら説明する。図６は操作部１５０の液晶表示部に表示されるモードメモリ設定画面の一例を示す図である。
【００５５】
図５に示す基本操作画面において、設定キー１００６が押下されると、図６に示すモードメモリ設定画面への切り替えが行われる。このモードメモリ設定画面には、登録キー１１０１、モードメモリダウンロードキー１１０２、モードメモリアップロードキー１１０３、モードメモリ直接呼出しキー１１０４、および取消キー１１０５が表示される。
【００５６】
登録キー１１０１は、モードメモリの設定内容の新規登録、修正を確定して登録するためのキーである。モードメモリダウンロードキー１１０２が押下されると、ＬＡＮ４００を介して、他のデジタル複写機例えばデジタル複写機４０３からそれに予め設定されているモードメモリの内容を取得し、自装置のモードメモリへコピー（ダウンロード）するモードメモリダウンロードが設定される。このモードメモリダウンロードによりコピーされたモードメモリは、自装置において呼び出し、実行することが可能である。モードメモリアップロードキー１１０３が押下されると、ＬＡＮ４００を介して、自装置に予め設定されているモードメモリの内容を他のデジタル複写機へ送信し、他のデジタル複写機のモードメモリへコピー（アップロード）するモードメモリアップロードが設定される。モードメモリ直接呼出しキー１１０４が押下されると、ＬＡＮ４００を介して、他のデジタル複写機に予め設定されているモードメモリの内容を直接呼び出し、呼び出したモードメモリの内容を自装置において使用するモードメモリ直接呼出しが設定される。取消キー１１０５が押下されると、現在表示されている画面はキャンセルされ、図５の基本操作画面への切り替えが行われる。
【００５７】
次に、操作部１５０の液晶表示部に表示される他機種モードメモリ一覧画面について図７を参照しながら説明する。図７は操作部１５０の液晶表示部に表示される他機種モードメモリ一覧画面の一例を示す図である。
【００５８】
画像入出力システム１００がＴＣＰ／ＩＰにより、ＬＡＮ４００上の他のデジタル複写機（デジタル複写機４０３を含む）と通信し、他のデジタル複写機からその機器の名称、機種名、モードメモリなどの属性情報がレスポンスとして返されると、例えば図７に示すように、他のデジタル複写機の属性を一覧表示する他機種モードメモリ一覧画面が操作部１５０の液晶表示部に表示される。この他機種モードメモリ一覧画面においては、名称表示欄１２０１、機種名表示欄１２０２、モードメモリ番号欄１２０３、上、下スクロールキー１２０５，１２０６、取り消しキー１２０４およびＯＫキー１２０７が表示される。
【００５９】
名称表示欄１２０１は、ＴＣＰ／ＩＰで通信し、アドレスのサーチ範囲を指定して得られた相手のデジタル複写機にユーザにより登録されている名称を一覧表示するものである。本画面例の場合、サーチ範囲を指定してサーチした結果、営業１課、営業２課、管理課と名づけられたデジタル複写機３台と通信が行われたことが示されている。
【００６０】
機種名表示欄１２０２は、それぞれの相手のデジタル複写機に予め登録されている機種の商品名を表示するものである。本画面例の場合、営業１課と名づけられたデジタル複写機の機種はｉＲＣ３２００、営業２課のデジタル複写機の機種はｉＲ５０００、管理課のデジタル複写機の機種はｉＲ２２００であることが示されている。
【００６１】
モードメモリ番号欄１２０３は、それぞれの相手のデジタル複写機のモードメモリ番号を示している。本画面例の場合、それぞれのデジタル複写機に対し、Ｍ１，Ｍ２，Ｍ３のモードメモリがあることが示されている。
【００６２】
下スクロールキー１２０６は、名称と機種名、モードメモリ番号の一覧の次の画面を表示するように画面をスクロールさせるためのキーである。上スクロールキー１２０５は、名称と機種名の一覧の前の画面を表示するように画面をスクロールさせるためのきーである。取り消しキー１２０４は、現在表示されている画面をキャンセルするためのキーであり、取り消しキー１２０４が押下されると、現在の画面から図６の画面への切り替えが行われる。ＯＫキー１２０７は、選択されたモードメモリを確定するためのキーである。例えば営業２課という名称のｉＲ５０００のモードメモリＭ２を対象に操作を行うときには、そのモードメモリを表示する行がタッチされ、その行の表示が反転される。そして、ＯＫキー１２０７が押下されると、モードメモリＭ２の選択が確定される。
【００６３】
次に、上記モードメモリダウンロードによりダウンロードされるモードメモリが実施される際には、ダウンロードされるモードメモリの設定内容を確認するためのモードメモリ確認画面が操作部１５０の液晶表示部に表示される。このモードメモリ確認画面について図８を参照しながら説明する。図８は操作部１５０の液晶表示部に表示されるモードメモリ確認画面の一例を示す図である。
【００６４】
上記モードメモリダウンロードによりダウンロードされるモードメモリが実施される際には、モードメモリの設定内容を確認するために、操作部１５０の液晶表示部に、例えば図８に示すような、モードメモリ確認画面が表示される。この画面においては、上、下スクロールキー１３０１，１３０２、確定キー（はい）１３０３、キャンセルキー（いいえ）１３０４が表示される。上、下スクロールキー１３０１，１３０２は、登録しようとしているコピーモードの項目、例えばページ連写等の項目で、この画面枠内に表示しきれない項目をスクロールして表示させるときに用いられる。確定キー（はい）１３０３は、現在表示されているコピーモードの設定、例えば本例の場合、倍率１００％、オート用紙選択、置数１枚、濃度５で、拡張機能としてページ連写で、左開き本であり、綴じ代は左綴じという状態を、Ｍ２のモードメモリとして登録を確定するときに押下される。キャンセルキー（いいえ）１３０４は、現在表示されている画面をキャンセルするためのキーである。
【００６５】
ここで、上記モードメモリ確認画面は、既に登録されているモードメモリの設定内容を確認する際にも表示することが可能であり、モードメモリ確認画面上で、既に登録されているモードメモリの設定内容を変更、修正することができる。
【００６６】
次に、図６に示すモードメモリ設定画面において、モードメモリダウンロードキー１１０２によりモードメモリダウンロードが設定された場合の動作について図９を参照しながら説明する。図９はモードメモリダウンロードが設定された場合の動作手順を示すフローチャートである。本図の手順は、制御装置１１０のＣＰＵ１１２によりＲＯＭ１１４に従って実行されるものである。
【００６７】
モードメモリダウンロードキー１１０２が押下されると、図９に示すように、ＣＰＵ１１２は、まずステップＳ１０１において、他機種のモードメモリ一覧を操作部１５０の液晶表示部に表示する。ここでは、画像入出力システム１００がＬＡＮ４００上の他のデジタル複写機とＴＣＰ／ＩＰで通信を行うことにより、他のデジタル複写機から機器情報および設定されているモードメモリが取得され、その一覧が表示する。
【００６８】
次いで、ＣＰＵ１１２は、ステップ１０２において、表示されたモードメモリ一覧から選択された自装置へダウンロードするモードメモリに対応する番号がＯＫキー１２０７（図６）により確定されると、そのモードメモリの番号を入力する。そして、ＣＰＵ１１２は、ステップＳ１０３において、ダウンロードするモードメモリに対応付ける番号を選択して設定する。この番号の選択の方式としては、ユーザに候補番号を提示し、選択させる方式でもよいし、予め決められている番号の範囲の中から現在の空き番号を自動的に割り当てる方式でもよい。
【００６９】
ダウンロード元とダウンロード先のモードメモリが決定されると、ＣＰＵ１１２は、ステップＳ１０４において、自装置の機器情報（機種、オプション装備情報など）に基づいて、ダウンロードされるモードメモリの設定内容がダウンロード先である自装置で処理可能な操作であるかを判断する。例えば、本画像入出力システム１００がカラーコピー機能を有する場合、カラー調整をモードメモリに設定することができるが、白黒コピー機能のみを有する場合、カラー調整を行うことができない。また、フィニッシャが装備されている場合、左綴じなどはモードメモリに設定することができるが、フィニッシャが装備されていない場合、左綴じ設定を行うことはできない。このように、機種の違い、オプション装置の装着の有無などにより、装置間においては、処理可能な設定内容が異なるので、上記ステップＳ１０４の判断が行われる。
【００７０】
上記ステップＳ１０４においてダウンロードされるモードメモリの設定内容の全てが処理可能と判断された場合、ＣＰＵ１１２は、ステップＳ１０５において、モードメモリの設定内容の全てを表すモードメモリ確認画面（図８に示す）を表示する。そして、上記モードメモリ確認画面において確定キー１３０３キーが押下されると、ＣＰＵ１１２は、選択された番号のモードメモリをＤＲＡＭ１１６のモードメモリ格納エリアに登録し、本処理を終了する。
【００７１】
上記ステップＳ１０４においてダウンロードされるモードメモリの設定内容の全てが処理可能でないすなわち処理不可能な項目が１つでもあると判断された場合、ＣＰＵ１１２は、ステップＳ１０６において、処理可能な設定内容のみを表すモードメモリ確認画面（図８に示す）を表示する。ここで、確定キー１３０２が押下されると、ＣＰＵ１１２は、ダウンロードされたモードメモリの設定内容の中で、自装置で処理可能な設定内容のみをＤＲＡＭ１１６のモードメモリ格納エリアに登録し、本処理を終了する。
【００７２】
このようにしてダウンロードされたモードメモリは、必要に応じて呼び出され、この呼び出されたモードメモリの設定内容に従って処理が実行される。よって、画像入出力システム１００は、他のデジタル複写機から適正に実行可能な動作モードを取得することができる。
【００７３】
また、モードメモリアップロードキー１１０３の押下によりモードメモリアップロードが設定された場合、図示していないが、モードメモリダウンロードの場合と同様に、アップロード元のモードメモリの番号の選択、およびアップロード先のモードメモリの番号の選択が行われる。そして、送信するモードメモリの設定内容がアップロード先のデジタル複写機で処理可能であるかの判断により、送信するモードメモリの設定内容がアップロード先のデジタル複写機ですべて処理可能であると判断された場合には、アップロードされたモードメモリがアップロード先のデジタル複写機のモードメモリ格納エリアに登録される。これに対し、処理不可能な項目が１つでもある場合は、処理可能な設定内容のみがアップロード先のデジタル複写機のモードメモリ格納エリアに登録される。
【００７４】
このようにしてアップロードされたモードメモリが登録されたデジタル複写機においては、アップロードされて登録されたモードメモリが必要に応じて呼び出され、この呼び出されたモードメモリの設定内容に従って処理が実行される。よって、他のデジタル複写機に対して適正に実行可能な動作モードを与えることができる。
【００７５】
モードメモリ直接呼出しキー１１０４の押下によりモードメモリ直接呼出しが設定された場合、図７に示すような他機種モードメモリ一覧画面が表示される。そして、使用したいモードメモリの番号が選択され、ＯＫキー１２０７が押下されると、選択された番号に対応するモードメモリの設定内容がＴＣＰ／ＩＰでの通信により取得される。そして、取得されたモードメモリの設定内容が自装置で処理可能であるかの判断により、取得したモードメモリの設定内容のすべてが自装置で処理可能であると判断された場合には、取得されたモードメモリが自装置に登録されているモードメモリであるかのように呼び出され、その設定内容に従って処理が実行されることになる。これに対し、処理不可能な項目が１つでもある場合は、処理可能な設定内容のみを含むモードメモリが自装置に登録されているモードメモリであるかのように呼び出され、その設定内容に従って処理が実行されることになる。
【００７６】
なお、本実施の形態においては、上記モードメモリダウンロード時に、ダウンロードされるモードメモリの設定内容の全てが処理可能でないすなわち処理不可能な項目が１つでもあると判断された場合（ステップＳ１０４）、ダウンロードされたモードメモリの設定内容の中で、自装置で処理可能な設定内容のみを登録する（ステップＳ１０６）ようにしているが、これに代えて、処理不可能な項目が１つでもあると判断された場合は、図１０に示すように、何も処理せずに、本処理を終了するようにしてもよい。すなわち、ダウンロードされるモードメモリの設定内容の全てが処理可能であると判断された場合のみに、取得されたモードメモリが登録される。
【００７７】
また、同様に、モードメモリアップロード時に、送信するモードメモリの設定内容がアップロード先のデジタル複写機ですべて処理可能であると判断された場合は、アップロードされたモードメモリがアップロード先のデジタル複写機に登録され、処理不可能な項目が１つでもある場合は、何も処理がされないようにしてもよい。
【００７８】
また、モードメモリ直接呼出し時においても、取得したモードメモリの設定内容に従って処理が実行され、処理不可能な項目が１つでもある場合は、何も処理がされないようにしてもよい。
【００７９】
なお、本発明の目的は、前述した実施形態の機能を実現するソフトウェアのプログラムコードを記録した記憶媒体（または記録媒体）を、システムあるいは装置に供給し、そのシステムあるいは装置のコンピュータ（またはＣＰＵやＭＰＵ）が記憶媒体に格納されたプログラムコードを読み出し実行することによっても、達成されることはいうまでもない。この場合、記憶媒体から読み出されたプログラムコード自体が前述した実施形態の機能を実現することになり、そのプログラムコードを記憶した記憶媒体は本発明を構成することになる。
【００８０】
また、プログラムコードを供給するための記憶媒体としては、例えば、フロッピー（登録商標）ディスク、ハードディスク、光磁気ディスク、ＣＤ−ＲＯＭ、ＣＤ−Ｒ、ＣＤ−ＲＷ、ＤＶＤ−ＲＯＭ、ＤＶＤ−ＲＡＭ、ＤＶＤ−ＲＷ、ＤＶＤ＋ＲＷ、磁気テープ、不揮発性のメモリカード、ＲＯＭ等を用いることができる。または、プログラムコードを、ネットワークを介してダウンロードしてもよい。
【００８１】
また、コンピュータが読み出したプログラムコードを実行することにより、前述した実施形態の機能が実現されるだけでなく、そのプログラムコードの指示に基づき、コンピュータ上で稼働しているオペレーティングシステム（ＯＳ）などが実際の処理の一部または全部を行い、その処理によって前述した実施形態の機能が実現される場合も含まれる。
【００８２】
さらに、記憶媒体から読み出されたプログラムコードが、コンピュータに挿入された機能拡張カードやコンピュータに接続された機能拡張ユニットに備わるメモリに書込まれた後、そのプログラムコードの指示に基づき、その機能拡張カードや機能拡張ユニットに備わるＣＰＵなどが実際の処理の一部または全部を行い、その処理によって前述した実施形態の機能が実現される場合も含まれる。
【図面の簡単な説明】
【００８３】
【図１】本発明の一実施の形態に係る画像形成装置としての画像入出力システムの全体構成を示すブロック図である。
【図２】図１のリーダ部２００およびプリンタ部３００のハードウェア構成を模式的に示す縦断面図である。
【図３】図１の制御装置の構成を示すブロック図である。
【図４】図１の画像入出力システム１００におけるコピー動作の手順を示すフローチャートである。
【図５】図１の画像入出力システム１００の操作部１５０の液晶表示部に表示される基本操作画面の一例を示す図である。
【図６】操作部１５０の液晶表示部に表示されるモードメモリ設定画面の一例を示す図である。
【図７】操作部１５０の液晶表示部に表示される他機種モードメモリ一覧画面の一例を示す図である。
【図８】操作部１５０の液晶表示部に表示されるモードメモリ確認画面の一例を示す図である。
【図９】モードメモリダウンロードが設定された場合の動作手順を示すフローチャートである。
【図１０】モードメモリダウンロードが設定された場合の他の動作手順を示すフローチャートである。
【符号の説明】
【００８４】
１００  画像入出力システム
１１０  制御装置
１５０  操作部
１６０  ハードディスク装置
２００  リーダ部
２１０  スキャナユニット
２５０  原稿給送ユニット
３００  プリンタ部
３１０  マーキングユニット
３６０  給紙ユニット
３７０  排紙ユニット
４００  ＬＡＮ
４０１，４０２  ＰＣ
４０３  デジタル複写機
【図１】
2005349657.tif 000003
【図２】
2005349657.tif 000004
【図３】
2005349657.tif 000005
【図４】
2005349657.tif 000006
【図５】
2005349657.tif 000007
【図６】
2005349657.tif 000008
【図７】
2005349657.tif 000009
【図８】
2005349657.tif 000010
【図９】
2005349657.tif 000011
【図１０】
2005349657.tif 000012